(57)【要約】【課題】デザイン上、いろいろな意匠を自由に施し得るモバイルフォンスタンドを提供する。【解決手段】モバイルフォンを背面側から受ける背面受け板２を有する。背面受け板２は、透明表て板８と、裏板９と、表て板８と裏板９の間に挾持される表示シート体10とを、具備する。表て板８と裏板９は、横断面形状が後方凸弯曲状弓型である。裏板９の周端縁には突条が形成されている。突条が表示シート体10の端縁部17に当接して表示シート体10の位置ずれを防止するように構成する。【選択図】図２
2013174797.tif 000002
【特許請求の範囲】
【請求項１】
モバイルフォン（Ｆ）を背面側から受ける背面受け板（２）を有し、該背面受け板（２）は、透明表て板（８）と、裏板（９）と、該表て板（８）と裏板（９）の間に挾持される表示シート体（10）とを、具備したことを特徴とするモバイルフォンスタンド。
【請求項２】
上記表て板（８）と上記裏板（９）は、横断面形状が後方凸弯曲状弓型であり、かつ、上記裏板（９）の周端縁（13）には突条（14）が形成されており、該突条（14）が上記表示シート体（10）の端縁部（17）に当接して表示シート体（10）の位置ずれを防止するように構成した請求項１記載のモバイルフォンスタンド。
【請求項３】
上記背面受け板（２）は、下縁（３）近傍に、貫孔（４）が形成され、かつ、該貫孔（４）に対応する上記裏板（９）の孔部（４ｂ）の内周縁（15）に小起立条（16）が設けられている請求項１又は２記載のモバイルフォンスタンド。
【請求項４】
後半部（５）が上記貫孔（４）に差込まれて上記背面受け板（２）を傾斜状に立設可能とするとともに前端（６）側にモバイルフォン（Ｆ）を載置可能な載置台部（１）を有する支持脚部材（７）を備え、該支持脚部材（７）の上記後半部（５）が、スリット（18）によって弾性変形可能に形成される弾性片（19）を有し、該弾性片（19）が、上記後半部（５）を上記貫孔（４）に差込んだ使用状態で上記貫孔（４）から上記支持脚部材（７）が抜けるのを防止する抜止突部（20）を有する請求項３記載のモバイルフォンスタンド。
【請求項５】
上記支持脚部材（７）の上記載置台部（１）が、コード（Ｃ）を通す切欠部（22）を有する請求項４記載のモバイルフォンスタンド。
【請求項６】
上記表て板（８）が持ち運びの際の支持脚部材保持用小突出子（12）を有するとともに、上記支持脚部材（７）が、上記小突出子（12）を挿入するための孔部（21）を有する請求項４又は５記載のモバイルフォンスタンド。
【発明の詳細な説明】
【技術分野】
【０００１】
本発明は、モバイルフォンスタンドに関する。
【背景技術】
【０００２】
一般に、携帯電話やスマートフォン等のモバイルフォンを立てた状態で保持するために、モバイルフォンスタンドが用いられる（例えば、特許文献１参照）。
【０００３】
しかし、従来のモバイルフォンスタンドは、単にモバイルフォンを保持するのみであって、意匠性に乏しく、広告性は全くないという欠点があった。
【先行技術文献】
【特許文献】
【０００４】
【特許文献１】特開２００４−６５８５４号公報
【発明の概要】
【発明が解決しようとする課題】
【０００５】
解決しようとする課題は、単にモバイルフォンを保持するのみであって、意匠性に乏しく、広告性は全くない点である。
【課題を解決するための手段】
【０００６】
そこで、本発明に係るモバイルフォンスタンドは、モバイルフォンを背面側から受ける背面受け板を有し、背面受け板は、透明表て板と、裏板と、表て板と裏板の間に挾持される表示シート体とを、具備したものである。
また、表て板と裏板は、横断面形状が後方凸弯曲状弓型であり、かつ、裏板の周端縁には突条が形成されており、突条が表示シート体の端縁部に当接して表示シート体の位置ずれを防止するように構成したものである。
【０００７】
また、背面受け板は、下縁近傍に、貫孔が形成され、かつ、貫孔に対応する裏板の孔部の内周縁に小起立条が設けられているものである。
また、後半部が貫孔に差込まれて背面受け板を傾斜状に立設可能とするとともに前端側にモバイルフォンを載置可能な載置台部を有する支持脚部材を備え、支持脚部材の後半部が、スリットによって弾性変形可能に形成される弾性片を有し、弾性片が、後半部を貫孔に差込んだ使用状態で貫孔から支持脚部材が抜けるのを防止する抜止突部を有するものである。
【０００８】
また、支持脚部材の載置台部が、コードを通す切欠部を有するものである。
また、表て板が持ち運びの際の支持脚部材保持用小突出子を有するとともに、支持脚部材が、小突出子を挿入するための孔部を有するものである。
【発明の効果】
【０００９】
本発明のモバイルフォンスタンドによれば、デザイン上、いろいろな意匠を自由に施し得る。また、広告にも用い得る。また、組立・分割が容易である。すなわち、持ち運びや設置が自由かつ容易である。また、安定して設置ができる。
【図面の簡単な説明】
【００１０】
【図１】本発明の使用状態を示す斜視図である。
【図２】使用状態を示す斜視図である。
【図３】斜視図である。
【図４】側面図である。
【図５】支持脚部材を貫孔に差込む直前の状態を示す説明図である。
【図６】持運び用組立状態を示す斜視図である。
【図７】正面図である。
【図８】図７のＡ−Ａ断面底面図である（一部省略）。
【図９】側面図である。
【図１０】表て板を示す正面図である。
【図１１】平面図である。
【図１２】裏板を示す正面図である。
【図１３】図12のＢ−Ｂ断面側面図である。
【図１４】表示シート体を示す正面図である。
【図１５】背面受け板を示す端面側面図であって、（Ａ）は組立前の状態を示し、（Ｂ）は組立状態を示す。
【図１６】図15の要部拡大端面側面図である。
【発明を実施するための形態】
【００１１】
図１は、本発明の実施の一形態の使用状態を示す。このモバイルフォンスタンドは、携帯電話やスマートフォン等のモバイルフォンＦを、載置台部１に載置して使用する。図２〜図４に示すように、モバイルフォンスタンドは自立する。モバイルフォンスタンドにモバイルフォンＦを載置すれば、モバイルフォンを紛失することを防止でき、スマートフォン等を立てかけて見やすく、使いやすい。
【００１２】
モバイルフォンＦを背面側から受ける背面受け板２を有する。図５に示すように、背面受け板２は、下縁３近傍に、貫孔４が形成される。図５の矢印Ｘ方向に示すように後半部５が貫孔４に差込まれて背面受け板２を傾斜状に立設可能とするとともに前端６側にモバイルフォンＦを載置可能な載置台部１を有する支持脚部材７を備える。
【００１３】
持ち運びの際は、図６〜図９に示すように、背面受け板２と支持脚部材７をコンパクトな持運び用組立状態とすることができる。かばんやポケット等に収納しやすい。
【００１４】
背面受け板２は、透明表て板８（図10・図11参照）と、裏板９（図12・図13参照）と、表て板８と裏板９の間に挾持される表示シート体10（図14参照）とを、具備する。表て板８及び裏板９はプラスチックから成る。裏板９は透明又は不透明のいずれでも良い。表示シート体10は紙又はプラスチックから成る。
【００１５】
表て板８が、貫孔４（図５参照）に対応する孔部４ａを有する。裏板９が、貫孔４に対応する孔部４ｂを有する。表示シート体10が、貫孔４に対応する（貫孔４よりわずかに大きい）孔部４ｃを有する。表示シート体10が、文字・記号・図形等から成るデザイン・広告表示を表示する表示部11を有する。表示部11は、例えば、印刷等により形成される。
【００１６】
表て板８と裏板９は、横断面形状が後方凸弯曲状弓型に形成される。図８・図10・図11に示すように、表て板８が持ち運びの際の支持脚部材保持用小突出子12を有する。表て板８の周端縁23には凹溝24が形成される（図10・図15参照）。
【００１７】
図12・図13に示すように、裏板９の周端縁13には、表て板８の凹溝24と嵌合する突条14が形成される。貫孔４に対応する裏板９の孔部４ｂの内周縁15に小起立条16が設けられる。図15（Ａ）は、表て板８と裏板９と表示シート体10を組立てる前の状態を示す。図15（Ｂ）は、組立後の状態を示す。突条14が表示シート体10の端縁部17に当接して表示シート体10の位置ずれを防止するように構成される。図16に示すように、小起立条16が表示シート体10の孔部４ｃに嵌合状となり、表示シート体10を裏板９に容易に位置決めすることができる。なお、背面受け板２の組立てに於て、表て板８と裏板９を接着・融着等により固着一体化するのが好ましい。
【００１８】
図３〜図９に戻って、支持脚部材７の後半部５が、スリット18によって弾性変形可能に形成される弾性片19を有する。弾性片19が、後半部５を貫孔４に差込んだ使用状態で貫孔４から支持脚部材７が抜けるのを防止する抜止突部20を有する。支持脚部材７を貫孔４に差込む際、弾性片19が下方へ弾性変形して、抜止突部20が貫孔４を通過する。支持脚部材７が、表て板８の小突出子12を挿入するための孔部21を有する。孔部21に小突出子12を挿入すると、持運び用組立状態となる。支持脚部材７の載置台部１が、コードＣ（図１参照）を通す切欠部22を有する。
【００１９】
なお、図示省略するが、本発明のモバイルフォンスタンドを横向きに設置して使用することもできる。
本発明は、設計変更可能であって、例えば、表て板８と裏板９を平板状とするも良い。また、全体を横長形状とするも良い。また、表示シート体10の表示部11が、デザイン又は広告の一方のみを表示するも良い。
【００２０】
以上のように、本発明は、モバイルフォンＦを背面側から受ける背面受け板２を有し、背面受け板２は、透明表て板８と、裏板９と、表て板８と裏板９の間に挾持される表示シート体10とを、具備したので、デザイン上、いろいろな意匠を自由に施し得る。また、広告にも用い得る。そして、優れたデザインを施し、個性を出すことができる。
また、表て板８と裏板９は、横断面形状が後方凸弯曲状弓型であり、かつ、裏板９の周端縁13には突条14が形成されており、突条14が表示シート体10の端縁部17に当接して表示シート体10の位置ずれを防止するように構成したので、モバイルフォンＦが左右にずれることを防止できる。また、モバイルフォンＦの下面が載置台部１に安定保持される。また、表示シート体10が突条14に位置ずれを防止しつつ保持されて、一体化作業（組立作業）を容易に行うことができる。
【００２１】
また、背面受け板２は、下縁３近傍に、貫孔４が形成され、かつ、貫孔４に対応する裏板９の孔部４ｂの内周縁15に小起立条16が設けられているので、裏板９に対して表示シート体10を容易に位置決めすることができる。そして、容易に組立てることができる。
また、後半部５が貫孔４に差込まれて背面受け板２を傾斜状に立設可能とするとともに前端６側にモバイルフォンＦを載置可能な載置台部１を有する支持脚部材７を備え、支持脚部材７の後半部５が、スリット18によって弾性変形可能に形成される弾性片19を有し、弾性片19が、後半部５を貫孔４に差込んだ使用状態で貫孔４から支持脚部材７が抜けるのを防止する抜止突部20を有するので、組立・分割が容易である。すなわち、持ち運びや設置が自由かつ容易である。また、安定して設置ができる。
【００２２】
また、支持脚部材７の上記載置台部１が、コードＣを通す切欠部22を有するので、コードＣが邪魔とならず、至便である。また、充電をしながら使用することができて至便である。
また、表て板８が持ち運びの際の支持脚部材保持用小突出子12を有するとともに、支持脚部材７が、小突出子12を挿入するための孔部21を有するので、持ち運びの際にばらけず紛失しない。さらに、持運組立状態とすると、コンパクトである。
【符号の説明】
【００２３】
１  載置台部
２  背面受け板
３  下縁
４  貫孔
４ｂ  孔部
５  後半部
６  前端
７  支持脚部材
８  （透明）表て板
９  裏板
10  表示シート体
12  （支持脚部材保持用）小突出子
13  周端縁
14  突条
15  内周縁
16  小起立条
17  端縁部
18  スリット
19  弾性片
20  抜止突部
21  孔部
22  切欠部
Ｃ  コード
Ｆ  モバイルフォン
【図１】
2013174797.tif 000003
【図２】
2013174797.tif 000004
【図３】
2013174797.tif 000005
【図４】
2013174797.tif 000006
【図５】
2013174797.tif 000007
【図６】
2013174797.tif 000008
【図７】
2013174797.tif 000009
【図８】
2013174797.tif 000010
【図９】
2013174797.tif 000011
【図１０】
2013174797.tif 000012
【図１１】
2013174797.tif 000013
【図１２】
2013174797.tif 000014
【図１３】
2013174797.tif 000015
【図１４】
2013174797.tif 000016
【図１５】
2013174797.tif 000017
【図１６】
2013174797.tif 000018